(57)【特許請求の範囲】
【請求項１】
白木綿の表地と裏地で袋状にした布団地内に、真綿又は羽毛の適量を充填した布団を透写装置の箱体上に展開して載置し、その布団全面を透写状態で写真撮影し、該写真の適宜大きさのものを上記布団の適所に添付するようにした布団内部の品質確認方法。
【請求項２】
透写台上に載置した布団は、その上面を透明な押えカバーで圧接しておく事を特徴とする請求項１記載の布団内部の品質確認方法。
【請求項３】
添付する写真は、布団全面を透写状態で撮影したものと、上記布団の一部分を透写撮影したものとの２枚を、上記布団の適所に添付するようにした請求項１又は２記載の布団内部の品質確認方法。
【請求項４】
箱体内に照明器具を装着し上面に半透明板を設けた透写用箱体を、上面に掛け布団を展開載置し得る大きさに形成し、上記箱体の両側中央部分に支持脚を軸着し、箱体を回動して上面が垂直位置で停止し得るようにすると共に、透明板の周囲に枠を設けた押えカバーを上記箱体上側に着脱可能に装着して、箱体上に載置した布団を押えカバーで圧接し、布団全面を透写状態で写真撮影できるようにした布団内部の品質確認装置。
【発明の詳細な説明】
【技術分野】
【０００１】
本発明は、真綿や羽毛を内部に充填した布団の品質を確認する方法及びそれに使用する装置に関するものである。
【背景技術】
【０００２】
従来、表地と裏地で袋状に形成した布団地内に真綿や羽毛を所要量充填した布団においては、上記充填物が布団全体に均一に充填されているかどうかの見分けは一般に手触りで行われていた。
また、布団周縁部は縫着してあるので、内部にどのような品質の材料が充填してあるか一般に確認できない。そこで、従来から布団の一部分に小さいファスナーを設けたり、透明窓部分を設けて内部の材料の品質を確認できるようにしたものが知られている。
【特許文献１】登録実用新案第３００７５０２号
【発明の開示】
【発明が解決しようとする課題】
【０００３】
しかし、真綿を一様に引き伸ばす事が難しいため、真綿布団の商品の中には真綿の厚い個所と極端に薄い個所が混在しがちであるが、布団全体を手触りで検査する事は難しく、また、上記のように布団の一部分に小さいファスナーを設けたり、透明窓部分を設けた布団は、その確認できる部分が布団の極狭い一部分であって、全体を確認できないため、購買時における消費者の不安は依然変わらなかった。
そこで本発明では、布団地内の全体に同質の材料が均一に充填されていて、異物や材料屑等の夾雑物は含まれていないことを、購買時に消費者が確認しやすくして、安心して買い求められるようにし、また布団の生産業者も布団の仕上作業時に同質の材料が全体に均一に充填されているかどうかを確認できるようにしたものである。
【課題を解決するための手段】
【０００４】
上記目標を達成するため、本発明に係る布団内部の品質確認方法では、白木綿の表地と裏地で袋状にした布団地内に、真綿又は羽毛の適量を充填した布団を透写装置の箱体上に展開して載置し、その布団全面を透写状態で写真撮影し、該写真の適宜大きさのものを上記布団の適所に添付するように構成した。
また、透写台上に載置した布団は、その上面を透明な押えカバーで圧接しておくように構成する場合もある。
また、添付する写真は、布団全面を透写状態で撮影したものと、上記布団の一部分を透写撮影したものとの２枚を、上記布団の適所に添付する場合もある。
また、上記方法において使用する布団内部の品質確認装置は、箱体内に照明器具を装着し上面に半透明板を設けた透写用箱体を、上面に掛け布団を展開載置し得る大きさに形成し、上記箱体の両側中央部分に支持脚を軸着し、箱体を回動して上面が垂直位置で停止し得るようにすると共に、透明板の周囲に枠を設けた押えカバーを上記箱体上側に着脱可能に装着して、箱体上に載置した布団を押えカバーで圧接し、布団全面を透写状態で写真撮影できるように構成した。
【発明の効果】
【０００５】
請求項１記載のように、白木綿の表地と裏地で袋状にした布団地内に、真綿又は羽毛の適量を充填した布団を透写装置の箱体上に展開して載置し、その布団全面を透写状態で写真撮影し、該写真の適宜大きさのものを上記布団の適所に添付してあると、布団内部に充填されている材料の均一度により透光の程度が異なり、布団内部に異物や材料屑等の夾雑物は含まれているとそれが明暗となって写真に現れるので、写真を見ることによって布団内部に充填されている材料の量的均一度や品質の均一性に付き確認する事ができる
請求項２記載のように、透写台上に載置した布団は、その上面を透明な押えカバーで圧接しておくと、より鮮明な写真を撮影できる。
請求項３記載のように、添付する写真は、布団全面を透写状態で撮影したものと、上記布団の一部分を透写撮影したものとの２枚を、上記布団の適所に添付してあると、２枚の写真を合わせて見る事により、充填された材料の均一度や品質を一層確認しやすい。
請求項４記載のように、箱体内に照明器具を装着し上面に半透明板を設けた透写用箱体を、上面に掛け布団を展開載置し得る大きさに形成し、上記箱体の両側中央部分に支持脚を軸着し、箱体を回動して上面が垂直位置で停止し得るようにすると共に、透明板の周囲に枠を設けた押えカバーを上記箱体上側に着脱可能に装着して、箱体上に載置した布団を押えカバーで圧接し、布団全面を透写状態で写真撮影できるようにした装置を使用すると、布団の内部を鮮明に透写撮影できる。
本発明を利用すると、消費者が真綿布団や羽毛布団の購買時に内部に充填されている材料の均一度や品質の均一性に付き容易に確認できるので、安心して買い求める事ができ、同時に業者の信用を高めるのに大変役立つものである。
【実施例１】
【０００６】
図１から図４は本発明において布団内部に充填されている材料の均一度や品質に付き検査するために使用する透写装置１を示す。２はその透写用箱体であって、上側に掛布団３を展開して載置できる程度の大きさに形成してあり、内部には照明器具４として複数本の蛍光灯を並設し、上面には半透明板５を設けてある。６は箱体２両側の中央部に設けた支持脚であって、軸着部７により箱体を回動して、上面を垂直位置に停止し得るように適所にストッパー８を設けてある。
９は上記箱体２上面の半透明板５上に載せた掛布団３を軽く圧接できる押えカバーであって、角枠１０の上側に透明板１１を設けてある。図中１２は角枠１０を箱体２上部の周縁に止着するための係合片を示す。この押えカバー９は係合片１２を係脱することにより、着脱可能に装着できるようになっている。
而して、上記透写装置１を使用して布団地が白木綿からなる布団３を透写撮影するには、箱体２上面に掛布団３を展開した状態で載せ、その上面に押えカバー９を載置して、透明板１１で布団３を半透明板５上に軽く圧接し定着した状態で各係合片１２を係止する。そして、図２の仮想線で示すように、箱体２を回転して垂直位置に停止しておき、布団を透写状態で前面の適当な位置に配置した写真機１３で撮影する。
上記透写撮影した写真１４は適当な透明袋１５にいれ当該撮影した布団３の適所に一体に添付しておくものである。
更に必要に応じて、上記写真の一部を適宜拡大した写真１６を一緒に添付しておく事もできる。この一緒に添付する写真１６は布団３の一部を別に透写撮影しても良い。この拡大写真１６は布団の一部分ではあるが、より鮮明であるから、布団内部を確認するための補助的な効果が認められる。
【図面の簡単な説明】
【０００７】
【図１】本発明に係る透写装置の使用状態図を示す断面図である。
【図２】本発明に係る透写装置の側面図である。
【図３】本発明に係る透写装置の正面図である。
【図４】本発明に係る透写装置の平面図である。
【図５】布団の適所に撮影した透写写真を添付した状態図である。
【符号の説明】
【０００８】
１  透写装置
２  箱体
３  掛布団
４  照明器具
５  半透明板
６  支持脚
７  軸着部
８  ストッパー
９  押えカバー
１０  角枠
１１  透明板
１２  係合片
１３  写真機
１４  写真
１５  透明袋
１６  写真
【図１】
0004396985.tif 000002
【図２】
0004396985.tif 000003
【図３】
0004396985.tif 000004
【図４】
0004396985.tif 000005
【図５】
0004396985.tif 000006